(57)【要約】【課題】受信する放送をラジオ放送からＩＰラジオ放送に切り替えた後のＩＰラジオ放送の受信期間を、コンテンツの途中で受信が途切れないように制限する「ラジオ放送受信装置」を提供する。【解決手段】コンテンツＢをラジオチューナ１３で受信（５００）しているときに受信状態が劣化したら（５０１）、ＩＰラジオプレイヤ１２におけるＩＰラジオ放送の受信（５０２）と、RadioVISサーバ６からの受信対象ラジオ放送のRadioVISデータの受信（５０３）を開始する。RadioVISデータに基づいて受信対象ラジオ放送によるコンテンツＢの放送の終了を検出したならば（５０４）、ＩＰラジオプレイヤ１２のＩＰラジオ放送の受信（５０２）とRadioVISサーバ６からのRadioVISデータの受信（５０３）を停止する。【選択図】図５
2017103577.tif 000002
【特許請求の範囲】
【請求項１】
ラジオ放送と、当該ラジオ放送とサイマル放送の関係にある前記ラジオ放送と同内容の音声を送信するＩＰラジオ放送とを受信可能なラジオ放送受信装置であって、
ラジオ放送を受信するラジオ放送受信部と、
移動通信を介してＩＰラジオ放送を受信するＩＰラジオプレイヤと、
前記ラジオ放送受信部がラジオ放送で受信したコンテンツの音声と、前記ＩＰラジオプレイヤがＩＰラジオで受信したコンテンツの音声とのうちの一方の音声をユーザに対して出力する出力選択部と、
前記出力選択部が前記ラジオ放送受信部がラジオ放送で受信したコンテンツの音声を出力しているときに前記ラジオ放送受信部のラジオ放送の受信状態が劣化した時点である第１の時点で、当該ラジオ放送受信部受信しているラジオ放送とサイマル放送の関係にあるＩＰラジオ放送の前記移動通信を介した受信を前記ＩＰラジオプレイヤに開始させると共に前記出力選択部に前記ＩＰラジオプレイヤがＩＰラジオで受信したコンテンツの音声の出力を開始させ、その後、前記第１の時点で前記ラジオ放送受信部で受信していたコンテンツと同じコンテンツの前記ＩＰラジオプレイヤにおけるＩＰラジオ放送からの受信が完了した時点である第２の時点で、前記ＩＰラジオプレイヤにおける前記ＩＰラジオ放送の受信を停止する制御部とを有することを特徴とするラジオ放送受信装置。
【請求項２】
請求項１記載のラジオ放送受信装置であって、
前記制御部は、前記第１の時点以降、前記第２の時点の発生前に、前記ラジオ放送受信部のラジオ放送の受信状態が良好な状態に復帰したならば、前記出力選択部に前記ラジオ放送受信部がラジオ放送で受信したコンテンツの音声の出力を再開させると共に、前記ＩＰラジオプレイヤの前記ＩＰラジオ放送の受信を停止することを特徴とするラジオ放送受信装置。
【請求項３】
請求項１または２記載のラジオ放送受信装置であって、
移動通信を介してラジオ放送で放送中のコンテンツに関する情報を受信する情報受信部を有し、
前記制御部は、前記第１の時点で、前記情報受信部に前記ラジオ放送受信部が受信しているラジオ放送で放送中のコンテンツに関する情報の受信を開始させると共に、前記情報受信部が受信する前記情報に基づいて前記第１の時点で前記ラジオ放送受信部で受信していたコンテンツの、前記第１の時点で前記ラジオ放送受信部が受信していたラジオ放送による放送の完了を識別し、当該放送が完了した時点であるコンテンツ放送完了時点に基づいて、前記第２の時点を算定することを特徴とするラジオ放送受信装置。
【請求項４】
請求項３記載のラジオ放送受信装置であって、
前記制御部は、前記コンテンツ放送完了時点から、第１の時点で前記ラジオ放送受信部で受信していたラジオ放送に対するＩＰラジオプレイヤで受信しているＩＰラジオ放送の遅延時間分の時間経過した時点を前記第２の時点として算定することを特徴とするラジオ放送受信装置。
【請求項５】
請求項３または４記載のラジオ放送受信装置であって、
前記制御部は、前記放送の完了を識別したならば、前記情報受信部の前記情報の受信を停止することを特徴とするラジオ放送受信装置。
【請求項６】
請求項３、４または５記載のラジオ放送受信装置であって、
前記情報受信部が受信する前記ラジオ放送で放送中のコンテンツに関する情報は、RadioVISのデータであることを特徴とするラジオ放送受信装置。
【請求項７】
請求項１、２、３、４、５または６記載のラジオ放送受信装置であって、
前記制御部は、前記第２の時点で、前記出力選択部に前記ラジオ放送受信部がラジオ放送で受信したコンテンツの音声の出力を開始させることを特徴とするラジオ放送受信装置。
【請求項８】
請求項１、２、３、４、５、６または７記載のラジオ放送受信装置であって、
前記ラジオ放送は、デジタルラジオ放送とアナログラジオ放送とのうちの少なくとも一方であることを特徴とするラジオ放送受信装置。
【請求項９】
請求項１、２、３、４、５、６、７または８記載のラジオ放送受信装置であって、
当該ラジオ放送受信装置は自動車に搭載された車載型のラジオ放送受信装置であることを特徴とするラジオ放送受信装置。
【発明の詳細な説明】
【技術分野】
【０００１】
本発明は、ラジオ放送受信装置において、受信する放送を、受信中の放送から当該放送と同内容の放送を行っている他の放送に切り替える技術に関するものである。
【背景技術】
【０００２】
ラジオ放送受信装置において、受信する放送を、受信中の放送から当該放送と同内容の放送を行っている他の放送(受信中の放送とサイマル放送の関係にある放送)に切り替える技術としては、放送用電波を伝送媒体に用いるラジオ放送と、ラジオ放送とサイマル放送の関係にあるＩＰラジオ放送との間で、受信する放送を切り替える技術が知られている（たとえば、特許文献１、２）。
【０００３】
また、ラジオ放送とサイマル放送の関係にあるＩＰラジオ放送のURLをインターネットを介して提供するRadioDNSの技術(非特許文献１）や、ラジオ放送で放送しているコンテンツに関するテキストや画像などのビジュアルな情報をインターネットを介して提供するRadioVISの技術(非特許文献２）も知られている。
【先行技術文献】
【特許文献】
【０００４】
【特許文献１】特開２０１３-２０１４６９号公報
【特許文献２】特開２０１１-０７８１０７号公報
【非特許文献】
【０００５】
【非特許文献１】The RadioDNS Project、 "RadioDNS Technical Specification RDNS01 V1.0.0  (2012-02)" 、[online]、 [平成27年11月26日検索]、インターネット＜URL:https://radiodns.org/wp-content/uploads/2014/02/RDNS01-1.0.0.pdf＞
【非特許文献２】The RadioDNS Project、 "RadioVIS Technical SpecificationRVIS01 V1.1.0 (2012-04) "、[online],[平成27年11月26日検索]、インターネット＜URL: https://radiodns.org/wp-content/uploads/2012/04/RVIS01-v1.1.01.pdf＞
【発明の概要】
【発明が解決しようとする課題】
【０００６】
ＩＰラジオ放送の受信が従量制、従時制の費用負担を伴うものである場合に、ラジオ放送とサイマル放送の関係にあるＩＰラジオ放送との間での受信する放送の切り替えを行うときには、ユーザの経済的負担の観点からはラジオ放送の受信が優先されるように切り替えを行うことが好ましい。
【０００７】
すなわち、ラジオ放送の受信状態が悪化したときにＩＰラジオ放送の受信を開始し、ラジオ放送の受信状態が良好な状態に復帰したときには、ＩＰラジオ放送の受信を終了してラジオ放送の受信に復帰することが好ましい。
【０００８】
しかしながら、このようにしても、受信する放送をラジオ放送からＩＰラジオ放送に切り替えた後に、ラジオ放送の受信状態が良好な状態に復帰するまでに長時間を要した場合には、ＩＰラジオ放送の受信期間が長期化しユーザに大きな経済的負担をかけてしまうことになる。
【０００９】
そこで、ＩＰラジオ放送の受信を所定時間以上行わないように制限したり、ＩＰラジオ放送の受信を所定のデータ量以上のデータ通信が発生しないように制限することが考えられる。
【００１０】
しかし、このように時間やデータ量でＩＰラジオ放送の受信を行う期間を制限すると、放送コンテンツを試聴している途中でＩＰラジオ放送の受信が終了してしまうこととが発生する。そして、このような放送コンテンツの中途半端な試聴に対してユーザが比較的大きな不快感を感じてしまうことがある。
【００１１】
そこで、本発明は、放送用電波を伝送媒体に用いるラジオ放送と当該ラジオ放送と同内容の放送を行っているＩＰラジオ放送との間で受信する放送を切り替える放送受信システムにおいて、ＩＰラジオ放送を受信する期間を制限しつつ、放送コンテンツの途中における受信の中断を抑制することを課題とする。
【課題を解決するための手段】
【００１２】
前記課題達成のために、本発明は、ラジオ放送と、当該ラジオ放送とサイマル放送の関係にある、前記ラジオ放送と同内容の音声を送信するＩＰラジオ放送とを受信可能なラジオ放送受信装置に、ラジオ放送を受信するラジオ放送受信部と、移動通信を介して前記ＩＰラジオ放送を受信するＩＰラジオプレイヤと、前記ラジオ放送受信部がラジオ放送で受信したコンテンツの音声と、前記ＩＰラジオプレイヤがＩＰラジオで受信したコンテンツの音声とのうちの一方の音声をユーザに対して出力する出力選択部と、前記出力選択部が前記ラジオ放送受信部がラジオ放送で受信したコンテンツの音声を出力しているときに前記ラジオ放送受信部のラジオ放送の受信状態が劣化した時点である第１の時点で、当該ラジオ放送受信部受信しているラジオ放送とサイマル放送の関係にあるＩＰラジオ放送の前記移動通信を介した受信を前記ＩＰラジオプレイヤに開始させると共に前記出力選択部に前記ＩＰラジオプレイヤがＩＰラジオで受信したコンテンツの音声の出力を開始させ、その後、前記第１の時点で前記ラジオ放送受信部で受信していたコンテンツと同じコンテンツの前記ＩＰラジオプレイヤにおけるＩＰラジオ放送からの受信が完了した時点である第２の時点で、前記ＩＰラジオプレイヤにおける前記ＩＰラジオ放送の受信を停止する制御部とを備えたものである。
【００１３】
ここで、このようなラジオ放送受信装置は、前記制御部において、前記第１の時点以降、前記第２の時点の発生前に、前記ラジオ放送受信部のラジオ放送の受信状態が良好な状態に復帰したならば、前記出力選択部に前記ラジオ放送受信部がラジオ放送で受信したコンテンツの音声の出力を再開させると共に、前記ＩＰラジオプレイヤの前記ＩＰラジオ放送の受信を停止するように構成してもよい。
【００１４】
ここで、以上のラジオ放送受信装置は、当該ラジオ放送受信装置を、移動通信を介してラジオ放送で放送中のコンテンツに関する情報を受信する情報受信部を備えたものとし、前記制御部において、前記第１の時点で、前記情報受信部に前記ラジオ放送受信部が受信しているラジオ放送で放送中のコンテンツに関する情報の受信を開始させると共に、前記情報受信部が受信する前記情報に基づいて前記第１の時点で前記ラジオ放送受信部で受信していたコンテンツの、前記第１の時点で前記ラジオ放送受信部が受信していたラジオ放送による放送の完了を識別し、当該放送が完了した時点であるコンテンツ放送完了時点に基づいて、前記第２の時点を算定するようにしてもよい。
【００１５】
また、この場合、前記制御部は、前記コンテンツ放送完了時点から、第１の時点で前記ラジオ放送受信部で受信していたラジオ放送に対するＩＰラジオプレイヤで受信しているＩＰラジオ放送の遅延時間分の時間経過した時点を前記第２の時点として算定するようにしてもよい。
【００１６】
また、この場合には、前記制御部において、前記放送の完了を識別したならば、前記情報受信部の前記情報の受信を停止することが好ましい。
また、以上のラジオ放送受信装置は、前記制御部において、前記第２の時点で、前記出力選択部に前記ラジオ放送受信部がラジオ放送で受信したコンテンツの音声の出力を開始させるこように構成してもよい。
【００１７】
また、この場合において、前記情報受信部が受信する前記ラジオ放送で放送中のコンテンツに関する情報は、たとえば、RadioVISのデータである。
ここで、より具体的には、以上のラジオ放送受信装置において、前記ラジオ放送は、デジタルラジオ放送とアナログラジオ放送とのうちの少なくとも一方であってよい。
また、以上のラジオ放送受信装置は自動車に搭載された車載型のラジオ放送受信装置であってもよい。
以上のようなラジオ放送受信装置によれば、ラジオ放送受信部で受信し出力しているラジオ放送の受信状態が劣化すると、ＩＰラジオプレイヤでサイマル放送のＩＰラジオ放送の受信が開始され、出力する音声が当該ＩＰラジオ放送の音声に切り替わるが、その後、ＩＰラジオ放送の受信は、ラジオ放送受信部における受信状態が良好な状態に復帰しない場合でも、受信状態が劣化したときにラジオ放送受信部で受信していたコンテンツのＩＰラジオ放送の受信完了時点で停止される。
【００１８】
よって、ＩＰラジオ放送を受信する期間を制限しつつ、コンテンツの途中における受信の中断の発生を抑制することができる。
【発明の効果】
【００１９】
以上のように、本発明によれば、放送用電波を伝送媒体に用いるラジオ放送と当該ラジオ放送と同内容の放送を行っているＩＰラジオ放送との間で受信する放送を切り替える放送受信システムにおいて、ＩＰラジオ放送を受信する期間を制限しつつ、放送コンテンツの途中における受信の中断を抑制することができる。
【図面の簡単な説明】
【００２０】
【図１】本発明の実施形態に係るラジオ放送システムの構成を示すブロック図である。
【図２】本発明の実施形態に係るラジオ放送受信機の構成を示すブロック図である。
【図３】本発明の実施形態に係るフォロー動作制御処理を示す図である。
【図４】RadioVISのデータの例を示すフローチャートである。
【図５】本発明の実施形態に係るフォロー動作制御処理による動作例を示す図である。
【発明を実施するための形態】
【００２１】
以下、本発明の実施形態について説明する。
図１に、本実施形態に係るラジオ放送システムの構成を示す。
図示するように、ラジオ放送受信機１は、自動車に搭載されるラジオ放送受信機１であり、ラジオ放送局２から放送されるラジオ放送の受信を行う。ここで、ラジオ放送は、たとえば、ＤＡＢ、ＤＡＢ＋などの放送規格によるデジタルラジオ放送であっても、ＦＭラジオ放送などのアナログラジオ放送であってもよい。また、ラジオ放送受信機１は、移動通信を介してインターネットなどのWAN３に接続しWAN３上のＩＰラジオサーバ４からＩＰラジオ放送を受信する。ここでＩＰラジオサーバ４が行うＩＰラジオ放送には、ラジオ放送とサイマル放送の関係にあるＩＰラジオ放送、すなわち、ラジオ放送と同内容の放送が行われるＩＰラジオ放送が含まれる。
【００２２】
また、WAN３上には、各ラジオ放送について当該ラジオ放送のサイマル放送を行っているＩＰラジオサーバ４のURLを提供するRadioDNS５と、各ラジオ放送毎に、ラジオ放送で放送しているコンテンツに関するテキストや画像などのビジュアルな情報であるRadioVISデータを配信するRadioVISサーバ６とが配置されている。なお、RadioVISデータは、ラジオ放送を受信する装置において、RadioVISデータが表すテキストや画像を表示して受信中のコンテンツの情報をユーザに提示するために用いられる。
【００２３】
そして、ラジオ放送受信機１は、移動通信を介して、WAN３上のRadioDNS５にアクセスして、受信中のラジオ放送のサイマル放送を行っているＩＰラジオサーバ４のURLを取得したり、移動通信を介して、WAN３上のRadioVISサーバ６にアクセスして、所望のラジオ放送のRadioVISデータを取得することができる。なお、RadioDNS５は、各ラジオ放送毎に、ラジオ放送のRadioVISデータを配信するRadioVISサーバ６のURLを提供する機能を備える場合があり、この場合、ラジオ放送受信機１は、所望のラジオ放送のRadioVISデータを配信するRadioVISサーバ６のURLをRadioDNS５から取得することができる。
【００２４】
次に、図２に、ラジオ放送受信機１の構成を示す。
図示するように、ラジオ放送受信機１は、移動通信を行う移動通信装置１１、ＩＰラジオサーバ４からＩＰラジオ放送を受信し受信したオーディオデータを出力するＩＰラジオプレイヤ１２、ラジオ放送局２から放送されるラジオ放送を受信する受信したオーディオデータを再生出力するラジオチューナ１３を備えている。
【００２５】
ここで、ＩＰラジオプレイヤ１２は、移動通信を行う移動通信装置１１を介してWAN３上のＩＰラジオサーバ４に接続し、ＩＰラジオサーバ４がＩＰラジオ放送で配信しているオーディオストリームを受信し、オーディオデータを再生出力する。ただし、ラジオ放送受信機１に、移動通信装置１１を備える代わりに、移動通信を行うモバイルフォンを接続する外部インタフェースを設け、ＩＰラジオプレイヤ１２において、モバイルフォンが行う移動通信を介してWAN３上のＩＰラジオサーバ４に接続し、ＩＰラジオサーバ４がＩＰラジオ放送で配信しているオーディオストリームを受信し再生出力するように構成してもよい。
【００２６】
また、ラジオ放送受信機１は、入力装置１４、表示装置１５、ラジオチューナ１３とＩＰラジオプレイヤ１２が出力するオーディオデータの一方を選択し出力するセレクタ１６、セレクタ１６が出力するオーディオデータをアナログの音声信号に変換した上で増幅し出力するアンプ１７、アンプ１７が出力する音声信号で駆動され音声を出力するスピーカ１８、以上のラジオ放送受信機１の各部を制御する制御部１９を備えている。
【００２７】
さて、このようなラジオ放送受信機１において、制御部１９は、ユーザから特定のラジオ放送局２のラジオ放送の受信を指示されると、受信を指示されたラジオ放送を受信対象ラジオ放送に設定し、ラジオチューナ１３に受信対象ラジオ放送の受信を開始させると共に、セレクタ１６にラジオチューナ１３が出力するオーディオデータを選択させることにより、受信対象ラジオ放送で受信した音声をスピーカ１８から出力する。
【００２８】
また、制御部１９は、ラジオチューナ１３に受信対象ラジオ放送の受信を開始させたならば、以下に示すフォロー動作制御処理を開始する。
図３に、このフォロー動作制御処理の手順を示す。
図示するように、フォロー動作制御処理において、制御部１９は、ラジオチューナ１３における受信対象ラジオ放送の受信状態を監視し、受信状態が劣化したならば（ステップ３０２）、移動通信装置１１を介してWAN３上のRadioDNS５にアクセスして、受信対象ラジオ放送のサイマル放送を行っているＩＰラジオサーバ４のURLを取得する（ステップ３０４）。
【００２９】
そして、ＩＰラジオプレイヤ１２に取得したURLのＩＰラジオサーバ４からのＩＰラジオ放送の受信を開始させる（ステップ３０６）。また、制御部１９は、移動通信装置１１を介してWAN３上のRadioVISサーバ６にアクセスし、受信対象ラジオ放送のRadioVISデータの受信を開始する（ステップ３０８）。
【００３０】
そして、セレクタ１６に、ＩＰラジオプレイヤ１２が出力するオーディオデータを選択させることにより、受信対象ラジオ放送のサイマル放送のＩＰラジオ放送で受信した音声のスピーカ１８からの出力を開始する（ステップ３１０）。
【００３１】
そして、以降は、ラジオチューナ１３における受信対象ラジオ放送の受信状態の良好な受信状態への復帰（ステップ３１２）と、受信対象ラジオ放送で放送されているコンテンツの変化の発生と（ステップ３１４）を監視する。
【００３２】
ここで、ステップ３１４における、受信対象ラジオ放送で放送されているコンテンツの変化の発生は、RadioVISサーバ６から受信するRadioVISデータを用いて、以下のように検出する。
【００３３】
ここで、図４に、RadioVISデータの例を示す。
図中の４０１は、コンテンツとして"AAAA"というタイトルの楽曲を放送している期間中に配信されるRadioVISデータであり、４０２はコンテンツとして"BBBB"というタイトルの楽曲を放送している期間中に配信されるRadioVISデータである。なお、左欄の時刻は、各RadioVISデータの配信時刻を表している。また、"TEXT"のタグのRadioVISデータはテキストを、"SHOW"のタグのRadioVISデータは画像のURLを表している。
【００３４】
図示するように、同じコンテンツを放送している期間中は、放送しているコンテンツのタイトルを含む同じテキストが繰り返し配信されることが多い。図示した例では、"Now Playing: "に続くテキストがタイトルを表しており、" Now Playing: AAAA"は、"AAAA"というタイトルのコンテンツ（楽曲）を放送中であることを表し、" Now Playing: BBBB"は、"BBBB"というタイトルのコンテンツ（楽曲）を放送中であることを表している。
【００３５】
そこで、ステップ３１４では、たとえば、受信した" Now Playing"の文字列を含むRadioVISデータの"Now Playing: "に続くテキストが、前回受信した" Now Playing"の文字列を含むRadioVISデータの"Now Playing: "に続くテキストから変化したときに、受信対象ラジオ放送で放送されているコンテンツの変化を検出するようにする。
【００３６】
または、ステップ３１４では、たとえば、RadioVISデータとして、所定レベル以上の頻度で繰り返し受信していたテキストを、所定期間以上受信しなくなったとき、または所定レベル以上の頻度で繰り返し受信していたテキストと異なるテキストのRadioVISデータを所定レベル以上の頻度で繰り返し受信するようになったときに、受信対象ラジオ放送で放送されているコンテンツの変化を検出するようにしてもよい。
【００３７】
図３に戻り、ラジオチューナ１３における受信対象ラジオ放送の受信状態が良好な受信状態へ復帰した場合には（ステップ３１２）、ＩＰラジオサーバ４からのＩＰラジオ放送の受信を停止すると共に、RadioVISサーバ６からの受信対象ラジオ放送のRadioVISデータの受信を停止し（ステップ３２４）、セレクタ１６にラジオチューナ１３が出力するオーディオデータを選択させることにより、スピーカ１８から出力する音声を、ラジオチューナ１３が受信対象ラジオ放送で受信した音声に復帰する（ステップ３２６）。そして、ステップ３０２からの処理に戻る。
【００３８】
一方、受信対象ラジオ放送で放送されているコンテンツの変化が発生した場合には（ステップ３１４）、受信対象ラジオ放送に対する、ＩＰラジオプレイヤ１２で受信中のＩＰラジオ放送の遅延相当分の時間の経過を待って（ステップ３１６）、ＩＰラジオサーバ４からのＩＰラジオ放送の受信を停止すると共に、RadioVISサーバ６からの受信対象ラジオ放送のRadioVISデータの受信を停止する（ステップ３１８）。ここで、受信対象ラジオ放送に対する、ＩＰラジオプレイヤ１２で受信中のＩＰラジオ放送の遅延相当分の時間は予め設定しておくようにしてもよいし、ＩＰラジオプレイヤ１２のＩＰラジオ放送の受信開始時に、ＩＰラジオプレイヤ１２とラジオチューナ１３の受信音声間の遅延を算定して記憶しておくようにしてもよい。
【００３９】
そして、セレクタ１６にラジオチューナ１３が出力するオーディオデータを選択させることにより、スピーカ１８から出力する音声をラジオチューナ１３が受信対象ラジオ放送で受信した音声に復帰する（ステップ３２０）。ただし、ステップ３２０では、受信対象ラジオ放送を、その時点でラジオチューナ１３で良好に受信可能なラジオ放送に変更し、変更後の受信対象ラジオ放送の受信をラジオチューナ１３に開始させた上で、スピーカ１８から出力する音声をラジオチューナ１３が受信対象ラジオ放送で受信した音声に復帰するようにしてもよい。
【００４０】
そして、ラジオチューナ１３における受信対象ラジオ放送の受信状態を監視し、受信状態が良好な状態となったならば（ステップ３２２）、ステップ３０２からの処理に戻る。ただし、ステップ３２２のラジオチューナ１３における受信対象ラジオ放送の受信状態の監視中に、ユーザから受信するラジオ放送の変更を指示された場合には、指示された変更先のラジオ放送に受信対象ラジオ放送に更新し、ラジオチューナ１３に更新後の受信対象ラジオ放送の受信を開始させる。
【００４１】
以上、制御部１９が行うフォロー制御処理について説明した。
ここで、図５に、このようなフォロー制御処理によるラジオ放送受信機１の動作例を示す。
いま、図示するように、受信対象ラジオ放送で放送されるコンテンツＢをラジオチューナ１３で受信し（５００）スピーカ１８から出力しているときに、ラジオチューナ１３における受信対象ラジオ放送の受信状態が劣化すると（５０１）、ＩＰラジオプレイヤ１２における受信対象ラジオ放送のサイマル放送であるＩＰラジオ放送の受信（５０２）が開始され、スピーカ１８の出力がＩＰラジオプレイヤ１２がＩＰラジオ放送で受信したコンテンツＢの音声に切り替わる。結果、スピーカ１８からは、コンテンツＢの音声の出力が継続して行われる。
【００４２】
一方、ＩＰラジオプレイヤ１２のＩＰラジオ放送の受信と共に、RadioVISサーバ６からの受信対象ラジオ放送のRadioVISデータの受信（５０３）が開始され、RadioVISデータに基づいて上述のように受信対象ラジオ放送によるコンテンツＢの放送の終了が検出される（５０４）。
【００４３】
そして、コンテンツＢの放送の終了が検出されたならば、受信対象ラジオ放送に対するＩＰラジオ放送の遅延時間TDの経過を待って、ＩＰラジオプレイヤ１２のＩＰラジオ放送の受信（５０２）とRadioVISサーバ６からのRadioVISデータの受信（５０３）が停止される。すなわち、スピーカ１８からのコンテンツＢの音声の出力が完了を待って、ＩＰラジオプレイヤ１２のＩＰラジオ放送の受信と、ＩＰラジオ放送で受信した音声のスピーカ１８からの出力を停止する。
【００４４】
そして、以降は、スピーカ１８の出力がラジオチューナ１３で受信している、その時点の受信対象放送のコンテンツＸ（５０５）に切り替わる。
以上、本発明の実施形態について説明した。
以上のように本実施形態によれば、ラジオチューナ１３で受信しスピーカ１８から出力している受信対象ラジオ放送の受信状態が劣化すると、ＩＰラジオプレイヤ１２で受信対象ラジオ放送のサイマル放送のＩＰラジオ放送の受信が開始され、スピーカ１８から出力する音声が当該ＩＰラジオ放送の音声に切り替わるが、ＩＰラジオ放送の受信は、受信対象ラジオ放送の受信状態が復帰しない場合でも、受信対象ラジオ放送の受信状態が劣化したときに受信対象ラジオ放送で受信していたコンテンツのＩＰラジオ放送の受信完了時点で停止される。
【００４５】
よって、本実施形態によれば、ＩＰラジオ放送を受信する期間を制限しつつ、放送コンテンツの途中における受信の中断の発生を抑制することができる。
【符号の説明】
【００４６】
１…ラジオ放送受信機、２…ラジオ放送局、３…WAN、４…ＩＰラジオサーバ、５…RadioDNS、６…RadioVISサーバ、１１…移動通信装置、１２…ＩＰラジオプレイヤ、１３…ラジオチューナ、１４…入力装置、１５…表示装置、１６…セレクタ、１７…アンプ、１８…スピーカ、１９…制御部。
【図１】
2017103577.tif 000003
【図２】
2017103577.tif 000004
【図３】
2017103577.tif 000005
【図４】
2017103577.tif 000006
【図５】
2017103577.tif 000007